(57)【要約】【課題】束線を覆うカバー部を省スペース化する。【解決手段】読取ユニット３０と、シートを搬送するＡＤＦ１（搬送ユニット）と、ＡＤＦ１を読取ユニット３０に対して、上位置と下位置との間で上下方向に移動可能かつ開閉可能に支持するヒンジ機構（支持部）と、ＡＤＦ１に信号又は電力を伝達する束線ＢＷと、読取ユニット３０とＡＤＦ１との間で束線ＢＷを覆うダクト１３（カバー部）と、を備える。ダクト１３は、ＡＤＦ１に設けられる第１ダクト１２ｉ（第１カバー部材）と、読取ユニット３０に対して上下方向に移動可能に設けられると共に上下方向に直交する面において内側又は外側に第１ダクト１２ｉに重なるように設けられる第２ダクト１２ｏ（第２カバー部材）と、を有する。ＡＤＦ１が上位置に位置している際のダクト１３の上下方向における全長Ｌ２は、ＡＤＦ１が下位置に位置している際のダクト１３の上下方向における全長Ｌ１よりも長い。【選択図】図５
2020114000.tif 000002
【特許請求の範囲】
【請求項１】
透明部と、前記透明部を介してシートの画像を読み取り可能な読取部と、を有する読取ユニットと、
前記読取ユニットの上方に配置され、前記透明部に向けてシートを搬送する搬送ユニットと、
前記搬送ユニットを前記読取ユニットに対して、上位置と下位置との間で上下方向に移動可能かつ開閉可能に支持する支持部と、
前記読取ユニットを通過すると共に、前記搬送ユニットに信号又は電力を伝達する束線と、
前記読取ユニットと前記搬送ユニットとの間で前記束線を覆うカバー部と、を備え、
前記カバー部は、前記搬送ユニットに設けられる第１カバー部材と、前記読取ユニットに対して前記上下方向に移動可能に設けられると共に前記上下方向に直交する面において内側又は外側に前記第１カバー部材に重なるように設けられる第２カバー部材と、を有し、
前記搬送ユニットが前記上位置に位置している際の前記カバー部の前記上下方向における全長は、前記搬送ユニットが前記下位置に位置している際の前記カバー部の前記上下方向における全長よりも長い、
ことを特徴とする画像読取装置。
【請求項２】
前記第１カバー部材の前記第２カバー部材に対するストロークは、前記第２カバー部材の前記読取ユニットに対するストローク以上である、
ことを特徴とする請求項１に記載の画像読取装置。
【請求項３】
前記搬送ユニットが前記上位置に位置している際には、前記第１カバー部材の下端は、前記読取ユニットよりも上方に位置している、
ことを特徴とする請求項１又は２に記載の画像読取装置。
【請求項４】
前記第１カバー部材は、前記搬送ユニットが前記下位置に位置している際に、前記第１カバー部材の下方かつ前記読取ユニットの内方において前記束線をシート搬送方向に直交する幅方向に配線可能となる空間を有するような長さに設定されている、
ことを特徴とする請求項１乃至３のいずれか１項に記載の画像読取装置。
【請求項５】
前記第２カバー部材の下方かつ前記読取ユニットの内方において前記空間を有するように、前記第２カバー部材の下方への移動を規制する規制部を備える、
ことを特徴とする請求項４に記載の画像読取装置。
【請求項６】
前記第１カバー部材は、前記搬送ユニットが前記下位置から前記上位置に移動する途中で、前記第２カバー部材に当接する当接部を有し、
前記第２カバー部材は、前記当接部に当接した状態で前記第１カバー部材と共に上方に移動可能に構成される、
ことを特徴とする請求項１乃至５のいずれか１項に記載の画像読取装置。
【請求項７】
前記第１カバー部材及び前記第２カバー部材は、筒形状に形成され、
前記第１カバー部材の内側空間の断面積は、前記第２カバー部材の内側空間の断面積よりも大きい、
ことを特徴とする請求項１乃至６のいずれか１項に記載の画像読取装置。
【請求項８】
前記束線は、屈曲可能半径の異なる複数の配線を有する、
ことを特徴とする請求項１乃至７のいずれか１項に記載の画像読取装置。
【請求項９】
前記読取ユニットは、シートを載置可能な載置部を有し、
前記搬送ユニットは、前記載置部に載置されたシートを上方から押圧する圧板部を有し、
前記読取部は、前記載置部に載置されたシートの画像を移動しながら読み取り可能である、
ことを特徴とする請求項１乃至８のいずれか１項に記載の画像読取装置。
【請求項１０】
前記読取部は、第１読取部であり、
前記搬送ユニットは、前記搬送ユニットによって搬送されるシートの、前記第１読取部が読み取る第１面とは反対側の第２面の画像を読み取り可能であって前記束線が接続される第２読取部を有する、
ことを特徴とする請求項１乃至９のいずれか１項に記載の画像読取装置。
【請求項１１】
請求項１乃至１０のいずれか１項に記載の画像読取装置と、
前記読取部が読み取った画像をシートに形成する画像形成ユニットと、を備える、
ことを特徴とする画像形成装置。
【発明の詳細な説明】
【技術分野】
【０００１】
本発明は、シートの画像を読み取る画像読取装置及びこれを備える画像形成装置に関する。
【背景技術】
【０００２】
一般に、原稿を自動的に給送する自動原稿送り装置（Ａｕｔｏｍａｔｉｃ  Ｄｏｃｕｍｅｎｔ  Ｆｅｅｄｅｒ、以下、ＡＤＦと称する）と、ＡＤＦによって給送されたシートの画像を読み取る読取ユニットと、を備えた画像読取装置が知られている。ＡＤＦは、読取ユニットに対して開閉可能かつ上下方向に移動可能に支持されている。
【０００３】
ユーザは、ＡＤＦを開いた状態で読取ユニットの上面に設けられた原稿台ガラスに原稿を載置して、この原稿の画像を読み取る（固定読み）ことができる。また、ＡＤＦを読取ユニットに対して上方にシフトすることができるので、原稿台ガラスに厚手の原稿が載置された場合でもＡＤＦによって原稿を押さえつけることができ、画像読取時に原稿がずれてしまうことを防止できる。
【０００４】
従来、読取ユニットの下方に設けられる複写機等のメインユニットとＡＤＦとをフラットケーブルによって電気的に接続し、フラットケーブルを撓ませた状態で覆うホルダ部材を備えた画像処理装置が提案されている（特許文献１参照）。ホルダ部材は、ＡＤＦの上下方向の移動に伴って、読取ユニットに摺動し、ＡＤＦが下位置に位置している時には、ホルダ部材の底部が読取ユニットに当接している。
【先行技術文献】
【特許文献】
【０００５】
【特許文献１】特開２０１１−７７８７４号公報
【発明の概要】
【発明が解決しようとする課題】
【０００６】
上記特許文献１に記載の画像処理装置は、ホルダ部材の底部に形成された開口にフラットケーブルを連通させて、フラットケーブルをメインユニットに配線している。しかしながら、例えばフラットケーブルの連結位置が異なる複数種類のメインユニットに画像処理装置を取り付け可能とする場合には、読取ユニット内でフラットケーブルを這いまわすスペースが必要である。画像処理装置を大型化することなく、フラットケーブルを読取ユニット内で這いまわすスペースを確保するためには、ホルダ部材を省スペース化する必要があった。
【０００７】
そこで、本発明は、カバー部（ホルダ部材）を省スペース化できるように構成し、上述した課題を解決した画像読取装置を提供することを目的とする。
【課題を解決するための手段】
【０００８】
本発明は、画像読取装置において、透明部と、前記透明部を介してシートの画像を読み取り可能な読取部と、を有する読取ユニットと、前記読取ユニットの上方に配置され、前記透明部に向けてシートを搬送する搬送ユニットと、前記搬送ユニットを前記読取ユニットに対して、上位置と下位置との間で上下方向に移動可能かつ開閉可能に支持する支持部と、前記読取ユニットを通過すると共に、前記搬送ユニットに信号又は電力を伝達する束線と、前記読取ユニットと前記搬送ユニットとの間で前記束線を覆うカバー部と、を備え、前記カバー部は、前記搬送ユニットに設けられる第１カバー部材と、前記読取ユニットに対して前記上下方向に移動可能に設けられると共に前記上下方向に直交する面において内側又は外側に前記第１カバー部材に重なるように設けられる第２カバー部材と、を有し、前記搬送ユニットが前記上位置に位置している際の前記カバー部の前記上下方向における全長は、前記搬送ユニットが前記下位置に位置している際の前記カバー部の前記上下方向における全長よりも長い、ことを特徴とする。
【発明の効果】
【０００９】
本発明によると、カバー部を第１カバー部材及び第２カバー部材によって構成することで、搬送ユニットが下位置に位置する際のカバー部の配置スペースを省スペース化することができる。
【図面の簡単な説明】
【００１０】
【図１】第１の実施の形態に係るプリンタを示す全体概略図。
【図２】画像読取装置を示す側面断面図。
【図３】ヒンジ機構を示す背面図であって、（ａ）はＡＤＦが下位置に位置している状態、（ｂ）はＡＤＦが上位置に位置している状態を示す。
【図４】フラットケーブル及び信号線の配線経路を示す断面図であって、（ａ）はＡＤＦが下位置に位置している状態、（ｂ）はＡＤＦが上位置に位置している状態を示す。
【図５】ダクトの構成を示す図３（ａ）のＥ−Ｅ断面図であって、（ａ）はＡＤＦが下位置に位置している状態、（ｂ）は第１ダクトと第２ダクトとが当接した状態、（ｃ）はＡＤＦが上位置に位置している状態を示す。
【図６】蓋部周辺の構成を示す図であって、（ａ）はＡＤＦが閉じている状態、（ｂ）はＡＤＦが途中まで開かれている状態、（ｃ）はＡＤＦが最大開度まで開かれている状態を示す。
【図７】第２の実施の形態に係るダクトの構成を示す図であって、（ａ）はＡＤＦが下位置に位置している状態、（ｂ）は第１ダクトと第２ダクトとが当接した状態、（ｃ）はＡＤＦが上位置に位置している状態を示す。
【図８】蓋部の構成を示す図であって、（ａ）はＡＤＦが閉じている状態、（ｂ）はＡＤＦが途中まで開かれている状態を示す。
【発明を実施するための形態】
【００１１】
＜第１の実施の形態＞
以下、本開示に係る画像読取装置及び画像形成装置について、図面を参照しながら説明する。以下の実施形態に記載されている構成部品の寸法、材質、形状、その相対配置などは、特に特定的な記載がない限りは、本技術の適用範囲をそれらのみに限定する趣旨のものではない。
【００１２】
［プリンタの概略構成］
まず、画像形成装置としてのプリンタ１０１の概略構成について図１を参照しながら説明する。プリンタ１０１は、図１に示すように、プリンタ本体１０１Ａ（画像形成ユニット）と、画像読取装置１０３と、を備えている。プリンタ本体１０１Ａの上方に配置された画像読取装置１０３は、詳しくは後述するように読取ユニット３０とＡＤＦ１とを備え、原稿Ｄを光学的に走査して画像情報を読み取る。原稿Ｄとは、用紙及び封筒等の紙、オーバーヘッドプロジェクタ用シート（ＯＨＴ）等のプラスチックフィルム、布などのシートである。画像読取装置１０３によって電気信号に変換された画像情報は、プリンタ本体１０１Ａに設けられた制御部１２２へと転送される。なお、本実施の形態において、プリンタ１０１を操作する操作パネル（不図示）に臨んで立つ際の装置の前面側を手前側、装置の背面側を奥側と定義する。
【００１３】
プリンタ本体１０１Ａは、記録媒体であるシートＰに画像を形成する画像形成部１１９と、画像形成部１１９にシートＰを給送するシート給送部３４と、手差し給送部１１７と、を有している。シート給送部３４は、互いに異なるサイズのシートを収納可能なシート収納部１３７ａ，１３７ｂ，１３７ｃ，１３７ｄを備えている。各シート収納部に収納されたシートは、ピックアップローラ３２によって繰り出され、フィードローラ３３ａ及びリタードローラ３３ｂによって１枚ずつ分離されて、対応する搬送ローラ対１２０へと受け渡される。そして、シートＰは、シート搬送路に沿って配置された複数の搬送ローラ対１２０に順に受け渡されることで、レジストレーションローラ対１３６へと搬送される。
【００１４】
なお、ユーザによって手差し給送部１１７の手差しトレイ１３７ｅに載置されたシートＰは、給送ローラ１３８によってプリンタ本体１０１Ａの内部に給送され、レジストレーションローラ対１３６へと搬送される。レジストレーションローラ対１３６は、シートＰの先端を停止させて斜行を補正すると共に、画像形成部１１９によるトナー像の形成プロセスである作像動作の進行に合わせてシートＰの搬送を再開する。
【００１５】
シートＰに画像を形成する画像形成部１１９は、感光体である感光ドラム１２１を備えた電子写真方式のユニットである。感光ドラム１２１は、シートＰの搬送方向に沿って回転可能であり、感光ドラム１２１の周囲には帯電器１１８、露光装置１２３、現像器１２４、転写帯電器１２５、分離帯電器１２６、及びクリーナ１２７が配置されている。帯電器１１８は感光ドラム１２１の表面を一様に帯電させ、露光装置１２３は画像読取装置１０３等から入力される画像情報に基づいて感光ドラム１２１を露光し、ドラム上に静電潜像を形成する。
【００１６】
現像器１２４は、トナー及びキャリアを含む二成分現像剤を収容しており、感光ドラム１２１に帯電したトナーを供給することで静電潜像をトナー像に現像する。感光ドラム１２１に担持されたトナー像は、転写帯電器１２５が形成するバイアス電界により、レジストレーションローラ対１３６から搬送されるシートＰに転写される。トナー像を転写されたシートＰは、分離帯電器が形成するバイアス電界によって感光ドラム１２１から離間し、定着前搬送部１２８によって定着部１２９へ向けて搬送される。なお、シートＰに転写されずに感光ドラム１２１に残留した転写残トナー等の付着物はクリーナ１２７によって除去され、感光ドラム１２１は次の作像動作に備える。
【００１７】
定着部１２９に搬送されたシートＰは、ローラ対に挟持されて加圧されながら加熱され、トナーの溶融・固着により画像を定着させられる。画像出力が完了している場合、定着画像が得られたシートＰは、排出ローラ対４０を介して、プリンタ本体１０１Ａの外方に突出した排出トレイ１３０に排出される。両面印刷においてシートＰの裏面に画像を形成する場合、定着部１２９を通過したシートＰは、反転部１３９によって表面と裏面とを入れ替えられ、両面搬送部１４０によってレジストレーションローラ対１３６へと搬送される。そして、画像形成部１１９によって再び画像を形成されたシートＰは、排出トレイ１３０に排出される。
【００１８】
［画像読取装置］
次に、図２を参照して、画像読取装置１０３の構成を説明する。図２に示すように、画像読取装置１０３は、読取ユニット３０と、読取ユニット３０の上方に配置される搬送ユニットであるＡＤＦ１と、によって構成される。また、画像読取装置１０３は、読取ユニット３０に配置された第１読取部１５１と、ＡＤＦ１に配置された第２読取部２０１と、を備えている。
【００１９】
第１読取部１５１は、第１ホルダ３０１によって保持されており、第１プラテンガラス１５２（透明部）を介して原稿Ｄの第１面の画像を読み取ることができる。第２読取部２０１は、第２ホルダ３０２によって保持されており、第２プラテンガラス２０２を介して原稿Ｄの第１面とは反対側の第２面の画像を読み取ることができる。本実施形態における第１面とは、両面読取部ＤＲにおける原稿Ｄの下側の面であり、第２面とは両面読取部ＤＲにおける原稿Ｄの上側の面である。なお、第１読取部１５１及び第２読取部２０１は、に両面の同時読取りを実行するとは限らず、片面のみの読取りも可能である。
【００２０】
第１読取部１５１及び第２読取部２０１は、等倍光学系の走査装置である密着イメージセンサ（Ｃｏｎｔａｃｔ  Ｉｍａｇｅ  Ｓｅｎｓｏｒ、以下、ＣＩＳとする）からなる。第１読取部１５１及び第２読取部２０１は、原稿Ｄの搬送方向に直交する主走査方向に配列されたＬＥＤアレイからなる光源と、同じく主走査方向に配列された複数の受光素子と、を備えている。ＬＥＤアレイから放出され、原稿Ｄによって反射された反射光は、レンズを介して各受光素子に結像され、受光素子によって光電変換される。
【００２１】
読取ユニット３０は、プリンタ本体１０１Ａの上面に固定されている（図１参照）。読取ユニット３０の上面には、図２に示すように、原稿Ｄを載置可能なフラットベッド型の原稿台３１（載置部）が配置されている。第１読取部１５１を保持する第１ホルダ３０１は、図２に示す位置Ｐ１から位置Ｐ２まで、副走査方向に移動可能である。
【００２２】
画像読取装置１０３の奥側には、図３（ａ）に示すように、２つのヒンジ機構１１（支持部）が設けられており、ヒンジ機構１１は、読取ユニット３０に対して上下方向に移動可能に支持されている。また、ヒンジ機構１１は、上部においてＡＤＦ１の回動軸１ａを回動可能に支持している。すなわち、ヒンジ機構１１は、ＡＤＦ１を読取ユニット３０に対して、上位置と下位置との間で上下方向に移動可能かつ開閉可能に支持している。例えば、図３（ｂ）に示すように、原稿台３１に厚手の原稿Ｄを載置した場合には、ＡＤＦ１は、ヒンジ機構１１と共に読取ユニット３０に対して上方に変位され、この状態で回動軸１ａを中心に回動して閉じられる。なお、読取ユニットに対して、ＡＤＦ１が最も上方に変位した位置を上位置（図５（ｃ）参照）、ＡＤＦ１が最も下方に変位した位置を下位置（図５（ａ）参照）とする。
【００２３】
ＡＤＦ１は、第２読取部２０１の他に、図２に示すように、原稿給送トレイ２と、原稿搬送部２５と、圧板部２６と、を備えている。原稿給送トレイ２は、ユーザによって載置された原稿Ｄを支持する。圧板部２６は、ＡＤＦ１の下面に設けられており、原稿台３１に載置されたシートを上方から押圧する。ＡＤＦ１は、内部に原稿搬送路Ｔが形成されており、原稿給送トレイ２に載置された原稿Ｄを、原稿搬送路Ｔを介して両面読取部ＤＲに給送する。
【００２４】
ＡＤＦ１について詳しく説明する。ＡＤＦ１は、ピックアップローラ４と、フィードローラ５と、リタードローラ６と、レジストレーションローラ対７と、搬送ローラ対８，９と、排出ローラ対１０とを、シート搬送方向である原稿の搬送方向（図中矢印で示す）に沿ってこの順に有している。ピックアップローラ４は、原稿給送トレイ２の上面に対して上下方向に移動可能であり、原稿給送トレイ２上の原稿Ｄに当接して給送を開始する。フィードローラ５は、ピックアップローラ４から受け取った原稿Ｄを搬送方向の下流へ向けて搬送する。リタードローラ６は、フィードローラ５に圧接され、トルクリミッタを介して搬送方向に逆らう方向の回転駆動が入力されており、フィードローラ５によって搬送される原稿Ｄを１枚ずつに分離する。
【００２５】
レジストレーションローラ対７は、回転を停止した状態で、フィードローラ５によって搬送される原稿Ｄの先端を受け止め、原稿Ｄを撓ませて斜行を補正する。また、レジストレーションローラ対７は、斜行が補正された原稿Ｄを、原稿搬送路Ｔの屈曲部を介して搬送し、搬送ローラ対８に受け渡す。搬送ローラ対８は、原稿Ｄを両面読取部ＤＲに送り込んで、下流側の搬送ローラ対９に受け渡す。このとき、第１読取部１５１及び第２読取部２０１により、原稿Ｄの画像が読み取られる。搬送ローラ対９は、両面読取部ＤＲを通過した原稿Ｄを排出ローラ対１０に受け渡す。排出ローラ対１０は、原稿Ｄを原稿排出部３に排出する。
【００２６】
このように構成された画像読取装置１０３は、ＡＤＦ１により原稿Ｄを給送しながら原稿画像を走査する流し読みモードと、原稿台３１に載置された原稿を走査する固定読みモードと、により、原稿Ｄから画像情報を読み取る。流し読みモードは、原稿給送トレイ２に載置された原稿Ｄを装置が検出した場合、又はプリンタ本体１０１Ａの操作パネル等によってユーザが明示的に指示した場合に選択される。この場合、第１読取部１５１が位置Ｐ１にある状態で、ＡＤＦ１が原稿Ｄを両面読取部ＤＲへ向けて１枚ずつ給送する。そして、両面同時読取の場合には第１読取部１５１及び第２読取部２０１の両方が、片面読取の場合にはこれらの一方が、原稿Ｄに走査光を照射して走査する。受光素子によって電気信号に変換された画像情報は、プリンタ本体１０１Ａの制御部１２２へと転送される。
【００２７】
一方、固定読みモードは、原稿台３１に載置された原稿Ｄを装置が検出した場合又はプリンタ本体１０１Ａの操作パネル等によってユーザが明示的に指示した場合に選択される。固定読みモードの場合には、ユーザは、まずＡＤＦ１を開いて原稿台３１に原稿を載置し、ＡＤＦ１を閉じることで原稿を原稿台３１と圧板部２６とによって挟み込む。そして、第１読取部１５１が、原稿台３１に沿って位置Ｐ３と位置Ｐ２との間を移動しながら光を照射して原稿台３１に載置された原稿Ｄを走査する。第１読取部１５１の受光素子によって電気信号に変換された画像情報は、プリンタ本体１０１Ａの制御部１２２へと転送される。
【００２８】
第２読取部２０１で読み取った画像信号を制御部１２２に送る信号線には、図４に示すように、フラットケーブルＦが用いられる。他にもＡＤＦ１には、モータなどに信号及び電力を伝達する信号線Ｃがあり、これらの信号線は、組立作業性やメンテナンス性のために、読取ユニット３０内の同じ経路を通って、プリンタ本体１０１Ａ内の制御部１２２に連結されることが望ましい。さらに、フラットケーブルＦは、静電気などの影響で信号にノイズが載る恐れがあるため、外部に露出させないようにする必要がある。フラットケーブルＦよりも被覆が多い信号線Ｃでも、ユーザ操作などの外力によって折れや破損などが発生しないように、読取ユニット３０やプリンタ本体１０１Ａの内部に配線することが望ましい。
【００２９】
［配線経路］
次に、フラットケーブルＦ及び信号線Ｃの配線経路について説明する。ＡＤＦ１は、図４（ａ）（ｂ）に示すように、ＡＤＦ１のフレーム１４に固定され、フラットケーブルＦ及び信号線Ｃを撓んだ状態で保持するケーブルガイド１６（保持部）を有している。フレーム１４には、ＡＤＦ１と読取ユニット３０との間でこれらフラットケーブルＦ及び信号線Ｃを覆うダクト１３（カバー部）が回動可能に支持されている。
【００３０】
第２読取部２０１の電気信号を制御部１２２に送るフラットケーブルＦは、ＡＤＦ１内で複数回折り曲げられ、ケーブルガイド１６、ダクト１３を経由して読取ユニット３０内に入る。そして、フラットケーブルＦは、ダクト１３の下方かつ読取ユニット３０の内方における空間Ｒにおいて、シート搬送方向に直交する幅方向に配線され、プリンタ本体１０１Ａに向けて下方に向かう。読取ユニット３０には空間Ｒが形成されているために、フラットケーブルＦを空間Ｒにおいて幅方向に配線することができ、フラットケーブルＦの連結位置が異なる複数種類のプリンタ本体に対して画像読取装置１０３を取り付けることができる。
【００３１】
また、モータやセンサ、ＵＳＢケーブルなどの信号線Ｃも、ケーブルガイド１６、ダクト１３を経由して読取ユニット３０内に入り、プリンタ本体１Ａに向けて配線される。信号線Ｃは、ＡＤＦ１の開閉の繰り返しで断線しないように、チューブを巻いたり、被覆を厚くしたりしている。そのため、信号線Ｃは、フラットケーブルＦよりも屈曲可能な半径が大きくなる。
【００３２】
更に、原稿Ｄを固定読みモードによって読み取る際には、原稿台３１に載置される原稿Ｄの厚みに応じてＡＤＦ１は上下方向に移動する。したがって、フラットケーブルＦ及び信号線Ｃは、ＡＤＦ１が上方に移動可能な分だけ余長を持たせる必要がある。このため、ケーブルガイド１６は、図５（ａ）に示すように、フラットケーブルＦ及び信号線Ｃ（以下、束線ＢＷとする）を水平方向に向けて接続し、束線ＢＷを撓ませている。束線ＢＷは、屈曲可能半径の異なる複数の配線を有している。
【００３３】
［ダクトの構成］
次に、ダクト１３の構成について説明する。ダクト１３は、図５（ａ）に示すように、本体部１２と、蓋部１２ｆと、を有している。本体部１２は、フレーム１４に回動可能に支持される第１ダクト１２ｉと、読取ユニット３０に対して上下方向に移動可能に設けられる第２ダクト１２ｏと、を有している。第１ダクト１２ｉ及び第２ダクト１２ｏは、上下方向に直交する面において内側又は外側に互いに重なるように設けられており、本実施の形態では、第１ダクト１２ｉが第２ダクト１２ｏの内側に設けられている。すなわち、第１ダクト１２ｉ及び第２ダクト１２ｏは上下方向においてオーバーラップする２層構成となっている。
【００３４】
第１ダクト１２ｉ及び第２ダクト１２ｏは、略円筒状に形成されており、第１ダクト１２ｉの下端には、径方向外側に延びる外フランジ部４１（当接部）が形成されている。第２ダクト１２ｏの上端には、径方向内側に延びる内フランジ部４２が形成され、第２ダクト１２ｏの下端には、径方向外側に延びる抜き止め部４３が形成されている。また、読取ユニット３０には、第２ダクト１２ｏの抜き止め部４３に当接して、第２ダクト１２ｏの下方への移動を規制するストッパ１７（規制部）が設けられている。
【００３５】
ＡＤＦ１が下位置に位置している際には、図５（ａ）に示すように、第１ダクト１２ｉの外フランジ部４１が第２ダクト１２ｏの内フランジ部４２から離間している。この時、第２ダクト１２ｏの抜き止め部４３は、ストッパ１７に当接しており、第１ダクト１２ｉの外フランジ部４１は、上下方向においてストッパ１７と略同じ位置に位置している。
【００３６】
ＡＤＦ１がユーザによって上方に移動されると、図５（ｂ）に示すように、第１ダクト１２ｉの外フランジ部４１は、第２ダクト１２ｏの内フランジ部４２に当接する。すなわち、外フランジ部４１は、ＡＤＦ１が下位置から上位置に移動する途中で、第２ダクト１２ｏの内フランジ部４２に当接する。更に、ＡＤＦ１がユーザによって上方に移動されると、図５（ｃ）に示すように、外フランジ部４１によって内フランジ部４２が持ち上げられることで、第２ダクト１２ｏが第１ダクト１２ｉと一体になって上方に移動する。そして、ＡＤＦ１が上位置に位置すると、第２ダクト１２ｏの抜き止め部４３が読取ユニット３０のリアカバー３５の内周面に当接し、第２ダクト１２ｏが読取ユニット３０に対して抜き止めされる。なお、この時、第１ダクト１２ｉの下端は、読取ユニット３０よりも上方に位置しているが、第１ダクト１２ｉと読取ユニット３０との間に第２ダクト１２ｏが設けられているために、束線ＢＷが外部に露出することがない。
【００３７】
ＡＤＦ１が上位置から下位置に移動する際には、第２ダクト１２ｏが第１ダクト１２ｉと一体になって下方に移動した後、ストッパ１７に突き当たり、その後第１ダクト１２ｉのみがＡＤＦ１と共に下方に移動する。
【００３８】
このように、ダクト１３は、ＡＤＦ１の昇降動作に応じて、第１ダクト１２ｉ及び第２ダクト１２ｏが伸縮する。そして、図５（ａ）及び図５（ｃ）に示すように、ＡＤＦ１が下位置及び上位置に位置している際の、ダクト１３の上下方向における全長をそれぞれ全長Ｌ１、全長Ｌ２とすると、全長Ｌ２は全長Ｌ１よりも長い（Ｌ２＞Ｌ１）。また、第１ダクト１２ｉの第２ダクト１２ｏに対するストローク量をストロークＳｉとし、第２ダクト１２ｏの読取ユニット３０に対するストローク量をストロークＳｏとすると、ストロークＳｉはストロークＳｏ以上に設定される（Ｓｉ≧Ｓｏ）。
【００３９】
すなわち、ダクト１３は、ＡＤＦ１が上位置にいても確実に束線ＢＷを保護するだけの全長Ｌ２を確保しつつ、ＡＤＦ１が下位置に位置するときには全長Ｌ１となるように縮んで、省スペース化可能となっている。また、ＡＤＦ１が下位置に位置するときには、第２ダクト１２ｏはストッパ１７によって下方向の移動が規制されており、また第１ダクト１２ｉの長さがストッパ１７と略同じレベルまでに設定されている。これにより、上述したように束線ＢＷを幅方向に配線可能な空間Ｒを確保しており、束線ＢＷの連結位置が異なる複数種類のプリンタ本体に対して画像読取装置１０３を取り付けることができる。また、第１ダクト１２ｉのストロークＳｉを第２ダクト１２ｏのストロークＳｏ以上に設定しているので、第２ダクト１２ｏの下方のスペースである空間Ｒをより大きく確保することができる。
【００４０】
［蓋部周辺の構成］
図４（ａ）及び図６（ａ）に示すように、ＡＤＦ１は、回動支点１１ｃを中心に回動可能であり、第１ダクト１２ｉは、回動支点１１ｃと略同心上に配置される回動中心１２ｃ（図４（ｂ）参照）を中心に回動可能である。ところで、閉状態のＡＤＦ１の外装カバー１５と第１ダクト１２ｉとの間には、ＡＤＦ１が開く際に第１ダクト１２ｉに干渉しないように開放空間５０（図３参照）が設けられている。例えば第２読取部２０１を設けるなどして、ＡＤＦ１の搭載部品が増えて重量が増えると、ヒンジ機構１１のバネ圧を増大させたりダンパ機能を追加したり必要がある。すると、ヒンジ機構１１が大型化して、回動支点１１ｃが読取ユニット３０に対してより上方かつ内方に位置するようになり、第１ダクト１２ｉの回動中心１２ｃも上方に変位する。回動支点１１ｃがＡＤＦ１の内部において上方かつ内方に変位すると、開放空間５０をより大きく設ける必要がある。
【００４１】
そして、ＡＤＦ１がユーザによって開かれると、束線ＢＷのＡＤＦ１側の固定部と読取ユニット３０側の固定部とが近づいてくるため、束線ＢＷが画像読取装置１０３の奥側に膨らむ。このため、奥側に膨らんだ束線ＢＷが、開放空間５０内に進入した状態で外装カバー１５と第１ダクト１２ｉとの間で挟み込まれることで、束線ＢＷが断線してしまう虞がある。
【００４２】
そこで、本実施の形態では、第１ダクト１２ｉに回動可能に支持される蓋部１２ｆを設けている。蓋部１２ｆは、回動支点１３ｃを中心に回動可能であり、ＡＤＦ１の開閉動作に伴って移動する剛体から構成されている。蓋部１２ｆの回動支点１３ｃ（支持部分）は、ＡＤＦ１の回動支点１１ｃよりも下方に位置している。
【００４３】
ケーブルガイド１６には、蓋部１２ｆを押圧可能な押圧部１３１が設けられている。また外装カバー１５には、蓋部１２ｆの開き方向の移動を規制する第１規制面１３２が形成され、第１ダクト１２ｉには、蓋部１２ｆの閉じ方向の移動を規制する第２規制面１３３が形成されている。これら第１規制面１３２及び第２規制面１３３は、蓋部１２ｆの回動範囲を規制する規制部１３４を構成しており、押圧部１３１及び規制部１３４は、ＡＤＦ１の開閉動作に連動して蓋部１２ｆを回動させる連動部１３５を構成している。
【００４４】
ＡＤＦ１が閉じられている場合には、図６（ａ）に示すように、蓋部１２ｆは、第１規制面１３２及び第２規制面１３３によって、閉位置に位置決めされている。この時、図６（ａ）に示すように、開放空間５０（図３参照）は蓋部１２ｆによって覆われており、束線ＢＷが外部に露出しないようになっている。ＡＤＦ１がユーザによって開かれると、図６（ｂ）に示すように、押圧部１３１が蓋部１２ｆを押圧し、ＡＤＦ１の開き動作に伴って、蓋部１２ｆが開かれる。そして、ＡＤＦ１が最大開度まで開かれると、図６（ｃ）に示すように、蓋部１２ｆは自重によって又は束線ＢＷに押圧されることで開かれ、第１規制面１３２によって開位置に位置決めされる。
【００４５】
また、ＡＤＦ１が図６（ｃ）に示す位置から図６（ａ）に示す位置に閉じられる際には、開位置に位置する蓋部１２ｆが第１規制面１３２によって押圧されて、ＡＤＦ１の閉じ動作に連動する。そして、図６（ａ）に示すように、ＡＤＦ１が閉じられると、第２規制面１３３によって蓋部１２ｆが閉位置に位置決めされる。
【００４６】
以上のように、蓋部１２ｆは、ＡＤＦ１が開閉動作される際に、蓋部１２ｆとＡＤＦ１との隙間が所定量以内となるように、連動部１３５によって連動する。また、蓋部１２ｆの回動支点１３ｃがＡＤＦ１の回動支点１１ｃよりも下方に位置しているので、ＡＤＦ１の回動量を確保するために開放空間５０を大きく設けたとしても、束線ＢＷを蓋部１２ｆによって確実に保護することができる。すなわち、ＡＤＦ１の開閉動作時に、束線ＢＷが開放空間に進入して外装カバー１５と第１ダクト１２ｉとの間で挟み込まれることがなく、束線ＢＷの断線を防止することができる。また、開放空間５０を通してユーザが束線ＢＷにアクセスすることができず、束線ＢＷ及びユーザを保護することができ、外観性も向上することができる。
【００４７】
＜第２の実施の形態＞
次いで、本発明の第２の実施の形態について説明するが、第２の実施の形態は、第１の実施の形態のダクト１３の構成を変更したものである。このため、第１の実施の形態と同様の構成については、図示を省略、又は図に同一符号を付して説明する。ダクト１１３（カバー部）は、図７（ａ）に示すように、第１ダクト１１２ｉ（第１カバー部材）と、第２ダクト１１２ｏ（第２カバー部材）と、を有する本体部１１２を備えている。第１ダクト１１２ｉ及び第２ダクト１１２ｏは、上下方向に直交する面において内側又は外側に互いに重なるように設けられており、本実施の形態では、第１ダクト１１２ｉが第２ダクト１１２ｏの外側に設けられている。すなわち、第１ダクト１１２ｉ及び第２ダクト１１２ｏは上下方向においてオーバーラップする２層構成となっている。
【００４８】
第１ダクト１１２ｉ及び第２ダクト１１２ｏは、略円筒状に形成されており、第１ダクト１１２ｉの下端には、径方向内側に延びる内フランジ部１４１（当接部）が形成されている。第２ダクト１１２ｏの上端には、径方向外側に延びる外フランジ部１４２が形成され、第２ダクト１１２ｏの下端には、径方向外側に延びる抜き止め部４３が形成されている。また、読取ユニット３０には、第２ダクト１１２ｏの抜き止め部４３に当接して、第２ダクト１１２ｏの下方への移動を規制するストッパ１７（規制部）が設けられている。
【００４９】
ＡＤＦ１が下位置に位置している際には、図７（ａ）に示すように、第１ダクト１１２ｉの内フランジ部１４１が第２ダクト１１２ｏの外フランジ部１４２から離間している。この時、第２ダクト１１２ｏの抜き止め部４３は、ストッパ１７に当接している。
【００５０】
ＡＤＦ１がユーザによって上方に移動されると、図７（ｂ）に示すように、第１ダクト１１２ｉの内フランジ部１４１は、第２ダクト１１２ｏの外フランジ部１４２に当接する。すなわち、内フランジ部１４１は、ＡＤＦ１が下位置から上位置に移動する途中で、第２ダクト１１２ｏの外フランジ部１４２に当接する。更に、ＡＤＦ１がユーザによって上方に移動されると、図７（ｃ）に示すように、内フランジ部１４１によって外フランジ部１４２が持ち上げられることで、第２ダクト１１２ｏが第１ダクト１１２ｉと一体になって上方に移動する。そして、ＡＤＦ１が上位置に位置すると、第２ダクト１１２ｏの抜き止め部４３が読取ユニット３０のリアカバー３５の内周面に当接し、第２ダクト１１２ｏが読取ユニット３０に対して抜き止めされる。なお、第１ダクト１１２ｉの下端は、読取ユニット３０よりも上方に位置しているが、第１ダクト１１２ｉと読取ユニット３０との間に第２ダクト１１２ｏが設けられているために、ダクト１１３内に収納される束線ＢＷ（図８参照）が外部に露出することがない。
【００５１】
ＡＤＦ１が上位置から下位置に移動する際には、第２ダクト１１２ｏが第１ダクト１１２ｉと一体になって下方に移動した後、ストッパ１７に突き当たり、その後第１ダクト１１２ｉのみがＡＤＦ１と共に下方に移動する。なお、ＡＤＦ１の上下方向の移動に伴うダクト１１３の全長の変化並びに第１ダクト１１２ｉ及び第２ダクト１１２ｏのストロークの設定は第１の実施の形態と同様であるため、説明を省略する。
【００５２】
ところで、ＡＤＦ１の上下方向の移動に伴って屈曲する束線ＢＷの変位量は、第２ダクト１１２ｏ内よりも第１ダクト１１２ｉ内の方が大きい。本実施の形態では、第１ダクト１１２ｉの内側において第１ダクト１１２ｉと第２ダクト１１２ｏとが係合し、第１ダクト１１２ｉの内側空間の断面積ＳＬが、第２ダクト１１２ｏの内側空間の断面積ＳＳよりも大きくなるように構成されている。このため、第１ダクト１１２ｉ内において束線ＢＷを大きく撓ませることができ、束線ＢＷへのダメージを低減することができる。また、第１の実施の形態と同様に、第２ダクト１１２ｏの下方において束線ＢＷを幅方向に配線可能な空間Ｒを確保しており、束線ＢＷの連結位置が異なる複数種類のプリンタ本体に対して画像読取装置１０３を取り付けることができる。
【００５３】
ダクト１１３は、図８（ａ）に示すように、第１ダクト１１２ｉに対して固定具１１３ｃ（支持部分）によって固定される蓋部１１２ｆを有している。蓋部１１２ｆは、ゴム材やシート材のような弾性体によって構成されている。固定具１１３ｃは、ＡＤＦ１の回動支点１１ｃよりも下方に配置されており、ＡＤＦ１を大きく開くことができる。
【００５４】
ＡＤＦ１が開かれると、図８（ｂ）に示すように、束線ＢＷが装置奥側に膨らみ、蓋部１１２ｆを押圧する。ＡＤＦ１が閉じられると、蓋部１１２ｆは、自身の弾性力によって元の位置に戻る。すなわち、蓋部１１２ｆは、ＡＤＦ１の開閉動作に連動して、束線ＢＷを保護しながら移動する。これにより、束線ＢＷが開放空間（図３参照）から外部に露出することがなく、束線ＢＷの断線を防止することができる。また、開放空間５０を通してユーザが束線ＢＷにアクセスすることができず、束線ＢＷ及びユーザを保護することができ、外観性も向上することができる。
【００５５】
なお、第１及び第２の実施の形態では、ダクトの本体部を２層構成としたが、３層以上に構成してもよい。また、ダクトの本体部を円筒形状に形成したが、これに限定されず、例えば角筒形状や他の断面形状でも良い。
【００５６】
また、第１及び第２の実施の形態では、ストッパ１７を設けることで第２ダクトの下限の位置を規定していたが、これに限定されない。例えばストッパ１７を設けずに、第２ダクトを第１ダクトに対して付勢するバネ等の付勢部を設けてもよい。この場合、ＡＤＦ１を下位置から上位置へ向けて移動させると、まず第１ダクト及び第２ダクトが一体に上方に移動し、第２ダクトの抜き止め部が読取ユニットのリアカバーに当接した後に、第１ダクトが第２ダクトに対して、付勢部の付勢力に抗して移動する。
【００５７】
また、第１及び第２の実施の形態において、第１読取部１５１及び第２読取部２０１は、ＣＩＳに限らず、ＣＣＤ（Ｃｈａｒｇｅ  Ｃｏｕｐｌｅｄ  Ｄｅｖｉｃｅ）を用いてもよい。また、画像読取装置１０３は、複写機、ファクシミリ、プリンタ、及び複合機等の様々な画像形成装置に搭載可能であると共に、単体でも使用することができる。
【符号の説明】
【００５８】
１１：支持部（ヒンジ機構）／１１ｃ：回動支点／１２：本体部／１２ｃ：回動支点／１２ｆ：蓋部／１２ｉ：第１カバー部材（第１ダクト）／１２ｏ：第２カバー部材（第２ダクト）／１３，１１３：カバー部（ダクト）／１３ｃ，１１３ｃ：支持部分（回動中心、固定具）／１５：外装カバー／１６：保持部（ケーブルガイド）／１７：規制部（ストッパ）／３０：読取ユニット／３１：載置部（原稿台）／４１，１４１：当接部（外フランジ部、内フランジ部）／１０１：画像形成装置（プリンタ）／１０１Ａ：画像形成ユニット（プリンタ本体）／１０３：画像読取装置／１３１：押圧部／１３５：連動部／１５１：読取部、第１読取部／１５２：透明部（第１プラテンガラス）／２０１：第２読取部／ＢＷ：束線／Ｄ：シート（原稿）／Ｌ１，Ｌ２：全長／Ｓｏ，Ｓｉ：ストローク／ＳＳ，ＳＬ：断面積
【図１】
2020114000.tif 000003
【図２】
2020114000.tif 000004
【図３】
2020114000.tif 000005
【図４】
2020114000.tif 000006
【図５】
2020114000.tif 000007
【図６】
2020114000.tif 000008
【図７】
2020114000.tif 000009
【図８】
2020114000.tif 000010